(57)【要約】  本発明は、マルチウェイスイッチ、無線周波数システム及び無線通信装置を提供する。マルチウェイスイッチは、８つのＴポート及び４つのＰポートを含む。８つのＴポートは４つの第一Ｔポートを含み、４つの第一Ｔポートのそれぞれは４つのＰポートに全部結合される。４つの第一Ｔポートは、送受信機能をサポートする。マルチウェイスイッチは、電子装置の無線周波数回路及びアンテナシステムに結合されて、電子装置のプリセット機能を実現するために用いられる。アンテナシステムは、４つのＰポートに対応する４つのアンテナを含む。プリセット機能は、４つのアンテナによってサウンディングリファレンス信号（ＳＲＳ）を順番に送信する機能である。
2021505054.tif 000002
【特許請求の範囲】
【請求項１】
マルチウェイスイッチ１０であって、
８つのＴポート及び４つのＰポートを含み、前記８つのＴポートは４つの第一Ｔポートを含み、前記４つの第一Ｔポートのそれぞれは前記４つのＰポートに全部結合され、前記４つの第一Ｔポートは送受信機能をサポートし、
前記マルチウェイスイッチは、デュアル周波数デュアル送信モードで動作可能な電子装置の無線周波数回路３０及びアンテナシステム２０に結合されて、前記電子装置のプリセット機能を実現するために用いられ、前記アンテナシステムは、前記４つのＰポートに対応する４つのアンテナを含み、前記プリセット機能は、前記４つのアンテナによってＳＲＳを順番に送信する機能である、
ことを特徴とするマルチウェイスイッチ。
【請求項２】
前記８つのＴポートはさらに４つの第二Ｔポートを含み、
前記４つの第二Ｔポートにおける異なる周波数帯域にある２つの第二Ｔポートは、前記４つのＰポートのうちの１つのＰポートに結合され、
前記４つの第二Ｔポートにおける異なる周波数帯域にある別の２つの第二Ｔポートは、前記４つのＰポートのうちの別の１つのＰポートに結合され、
前記４つのＰポートのそれぞれは、前記４つのアンテナの中の対応するアンテナに結合され、
前記４つの第二Ｔポートは、受信機能のみをサポートする、
ことを特徴とする請求項１に記載のマルチウェイスイッチ。
【請求項３】
前記無線周波数回路は、物理的に２つの独立回路モジュールを含み、
前記２つの独立回路モジュールは２つの第一独立回路モジュールを含み、
前記第一独立回路モジュールは、２つの第一ポート及び２つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項４】
前記第一独立回路モジュールは、２つのトランシーバ集積回路と２つの受信回路を含み、
前記２つのトランシーバー集積回路は、異なる周波数帯域で動作し、
各トランシーバ集積回路は、１つの送信回路と１つの受信回路を含み、
各トランシーバ集積回路は、前記第一独立回路モジュールの２つの第一ポートのうちの１つの第一ポートに結合された送信−受信ポートを有し、
各受信回路は、前記第一独立回路モジュールの２つの第二ポートのうちの１つの第二ポートに結合された受信ポートを有する、
ことを特徴とする請求項３に記載のマルチウェイスイッチ。
【請求項５】
前記無線周波数回路は、物理的に３つの独立回路モジュールを含み、
前記３つの独立回路モジュールは、２つの第一独立回路モジュール及び１つの第二独立回路モジュールを含み、
第二独立回路モジュールは、２つの第一ポートを含み、
第三独立回路モジュールは、４つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項６】
前記第一独立回路モジュールは、２つのトランシーバ集積回路を含み、
前記２つのトランシーバ集積回路は、異なる周波数帯域で動作し、
各トランシーバ集積回路は、１つの送信回路と１つの受信回路を含み、
各トランシーバ集積回路は、前記第二独立回路モジュールの２つの第一ポートのうちの１つの第一ポートに結合された送信−受信ポートを有し、
前記第二独立回路モジュールは、４つの受信回路を含み、
各受信回路は、前記第三独立回路モジュールの４つの第二ポートのうちの１つの第二ポートに結合された受信ポートを有する、
ことを特徴とする請求項５に記載のマルチウェイスイッチ。
【請求項７】
前記無線周波数回路は、物理的に３つの独立回路モジュールを含み、
前記３つの独立回路モジュールは、２つの第一独立回路モジュール及び１つの第二独立回路モジュールを含み、
第四独立回路モジュールは２つの第一ポートと１つの第二ポートを含み、
第五独立回路モジュールは２つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項８】
前記第一独立回路モジュールは、２つのトランシーバ集積回路と１つの受信回路を含み、
前記２つのトランシーバ集積回路は、異なる周波数帯域で動作し、
各トランシーバ集積回路は、１つの送信回路と１つの受信回路を含み、
各トランシーバ集積回路は、前記第四独立回路モジュールの２つの第一ポートのうちの１つの第一ポートに結合された送信−受信ポートを有し、
前記受信回路は、前記第四独立回路モジュールの第二ポートに結合された受信ポートを有し、
前記第二独立回路モジュールは、２つの受信回路を含み、
各受信回路は、前記第五独立回路モジュールの２つの第二ポートのうちの１つの第二ポートに結合された受信ポートを有する、
ことを特徴とする請求項７に記載のマルチウェイスイッチ。
【請求項９】
前記無線周波数回路は、物理的に４つの独立回路モジュールを含み、
前記４つの独立回路モジュールは４つの第一独立回路モジュールを含み、
第六独立回路モジュールＦは、１つの第一ポート及び１つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１０】
前記無線周波数回路は、物理的に４つの独立回路モジュールを含み、
４つの独立回路モジュールは、２つの第一独立回路モジュール及び２つの第二独立回路モジュールを含み、
第七独立回路モジュールは、１つの第一ポート及び２つの第二ポートを含み、
第八独立回路モジュールは、１つの第一ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１１】
前記無線周波数回路は、物理的に５つの独立回路モジュールを含み、
前記５つの独立回路モジュールは、１つの第一独立回路モジュールと４つの第二独立回路モジュールを含み、
第三独立回路モジュールは、４つの第二ポートを含み、
第八独立回路モジュールは、１つの第一ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１２】
前記無線周波数回路は、物理的に６つの独立回路モジュールを含み、
前記６つの独立回路モジュールは、２つの第一独立回路モジュール及び４つの第二独立回路モジュールを含み、
第五独立回路モジュールは、２つの第二ポートを含み、
第八独立回路モジュールは、１つの第一ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１３】
前記無線周波数回路は、物理的に８つの独立回路モジュールを含み、
前記８つの独立回路モジュールは、４つの第一独立回路モジュール及び４つの第二独立回路モジュールを含み、
第八独立回路モジュールは、１つの第一ポートを含み、
第九独立回路モジュールは、１つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１４】
無線周波数システムであって、
アンテナシステムと、無線周波数回路と、請求項１〜１３のいずれか一項に記載のマルチウェイスイッチと、を含む、
ことを特徴とする無線周波数システム。
【請求項１５】
無線通信装置であって、
アンテナシステムと、無線周波数送信機と、前記無線周波数送信機に結合された無線周波数回路と、請求項１〜１３のいずれか一項に記載のマルチウェイスイッチと、を含む、
ことを特徴とする無線通信装置。
【発明の詳細な説明】
【技術分野】
【０００１】
本発明は、移動端末の技術分野に関し、さらに具体的に、マルチウェイスイッチ、無線周波数システム及び無線通信装置に関する。
【背景技術】
【０００２】
スマートフォンなどの電子製品が広く使用されることに伴って、スマートフォンがサポートすることができるアプリケーションはだんだん多くなり、且つ機能も強力になっている。スマートフォンは、多様化、パーソナライズされた方向に向かって発展し、ユーザの生活に不可欠な電子製品になっている。第四世代（ｔｈｅ  ４ｔｈ  Ｇｅｎｅｒａｔｉｏｎ，４Ｇ）の移動通信システムにおいて、電子装置は一般的にシングルアンテナ又はデュアルアンテナの無線周波数（ＲＦ）システムアーキテクチャを採用している。現在、第五世代（ｔｈｅ  ５ｔｈ  Ｇｅｎｅｒａｔｉｏｎ，５Ｇ）の移動通信システムの新しいラジオ（Ｎｅｗ  Ｒａｄｉｏ，ＮＲ）システムにおいて、４アンテナ無線周波数システムアーキテクチャをサポートする需要が提案されている。
【発明の概要】
【０００３】
本発明の実施形態は、マルチウェイスイッチ、無線周波数システム及び無線通信装置を提供して、５Ｇ ＮＲにおいて、電子装置の４つのポートに対応する４つのアンテナによってサウンディングリファレンス信号（ｓｏｕｎｄｉｎｇ  ｒｅｆｅｒｅｎｃｅ  ｓｉｇｎａｌｓ、ＳＲＳ）を順番に送信する機能（即ち、４ポートＳＲＳ）を実現する。
【０００４】
第一態様において、本発明の実施形態は、マルチウェイスイッチを提供する。マルチウェイスイッチは、８つのＴポート及び４つのＰポートを含む。８つのＴポートは４つの第一Ｔポートを含み、４つの第一Ｔポートのそれぞれは４つのＰポートに全部結合される。４つの第一Ｔポートは、送受信機能をサポートする。
【０００５】
マルチウェイスイッチは、デュアル周波数デュアル送信モード（ｄｕａｌ-ｆｒｅｑｕｅｎｃｙ  ｄｕａｌ-ｔｒａｎｓｍｉｔ  ｍｏｄｅ）で動作可能な電子装置の無線周波数回路及びアンテナシステムに結合されて、電子装置のプリセット機能を実現するために用いられる。アンテナシステムは、４つのＰポートに対応する４つのアンテナを含む。プリセット機能は、４つのアンテナによってＳＲＳを順番に送信する機能である。
【０００６】
第二態様において、本発明の実施形態は、無線周波数システムを提供する。無線周波数システムは、アンテナシステムと、無線周波数回路と、無線周波数回路及びアンテナシステムに結合されたマルチウェイスイッチと、を含む。マルチウェイスイッチは、８つのＴポート及び４つのＰポートを含む。８つのＴポートは４つの第一Ｔポートを含み、４つの第一Ｔポートのそれぞれは４つのＰポートに全部結合される。４つの第一Ｔポートは、送受信機能をサポートする。アンテナシステムは、４つのＰポートに対応する４つのアンテナを含む。マルチウェイスイッチは、プリセット機能を実現するために用いられる。プリセット機能は、４つのアンテナによってＳＲＳを順番に送信する機能である。
【０００７】
第三態様において、本発明の実施形態は、無線通信装置を提供する。無線通信装置は、アンテナシステムと、無線周波数送信機（ｒａｄｉｏ  ｆｒｅｑｕｅｎｃｙ  ｔｒａｎｓｍｉｔｔｅｒ）と、無線周波数送信機に結合された無線周波数回路と、無線周波数回路及びアンテナシステムに結合されたマルチウェイスイッチと、を含む。
【０００８】
マルチウェイスイッチは、８つのＴポート及び４つのＰポートを含む。アンテナシステムは、４つのＰポートに対応する４つのアンテナを含む。８つのＴポートは、４つの第一Ｔポート及び４つの第二Ｔポートを含む。４つの第一Ｔポートのそれぞれは４つのＰポートに全部結合される。４つの第一Ｔポートは、送受信機能をサポートする。４つの第二Ｔポートにおける異なる周波数帯域にある２つの第二Ｔポートは、４つのＰポートのうちの１つのＰポートに結合される。４つの第二Ｔポートにおける異なる周波数帯域にある別の２つの第二Ｔポートは、４つのＰポートのうちの別の１つのＰポートに結合される。４つの第二Ｔポートは、受信機能のみをサポートする。４つのＰポートのそれぞれは、４つのアンテナの中の対応するアンテナに結合される。マルチウェイスイッチは、プリセット機能を実現するために用いられる。プリセット機能は、４つのアンテナによってＳＲＳを順番に送信する機能である。
【０００９】
本発明の実施例において、電子装置は、アンテナシステムと、無線周波数回路と、マルチウェイスイッチと、を含む。アンテナシステムは、４つのアンテナを含む。マルチウェイスイッチは、８つのＴポート及び４つのＰポートを含む。マルチウェイスイッチは、無線周波数回路及びアンテナシステムに結合されて、４つのＰポートに対応する４つのアンテナによってＳＲＳを順番に送信するプリセット機能を実現する。
【図面の簡単な説明】
【００１０】
以下、本発明の実施形態又は従来の技術の技術方案をより明確に説明するために、本発明の実施形態又は従来の技術の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明の実施形態に係わるマルチウェイスイッチの構造を示す概略図である。
【図２】図２は、本発明の実施形態に係わる簡略化された４Ｐ８Ｔスイッチの構造を示す概略図である。
【図３Ａ】図３Ａは、本発明の実施形態に係わる電子装置の無線周波数回路の構造を示す概略図である。
【図３Ｂ】図３Ｂは、本発明の実施形態に係わるマルチウェイスイッチの構造を示す概略図である。
【図４】図４は、本発明の実施形態に係わる別の無線周波数回路の構造を示す概略図である。
【図５】図５は、本発明の実施形態に係わるさらに別の無線周波数回路の構造を示す概略図である。
【図６】図６は、本発明の実施形態に係わるさらに別の無線周波数回路の構造を示す概略図である。
【図７】図７は、本発明の実施形態に係わるさらに別の無線周波数回路の構造を示す概略図である。
【図８】図８は、本発明の実施形態に係わるさらに別の無線周波数回路の構造を示す概略図である。
【図９】図９は、本発明の実施形態に係わるさらに別の無線周波数回路の構造を示す概略図である。
【図１０】図１０は、本発明の実施形態に係わるさらに別の無線周波数回路の構造を示す概略図である。
【図１１】図１１は、本発明の実施形態に係わる電子装置のアンテナシステムの構造を示す概略図である。
【図１２】図１２は、本発明の実施形態に係わる電子装置の別のアンテナシステムの構造を示す概略図である。
【図１３】図１３は、本発明の実施形態に係わる無線周波数システムの構造を示す概略図である。
【図１４】図１４は、本発明の実施形態に係わる無線通信装置の構造を示す概略図である。
【図１５】図１５は、本発明の実施形態に係わる無線通信装置のアンテナを再利用するための無線充電受信機を示す概略図である。
【図１６】図１６は、本発明の実施形態に係わる４つのアンテナを含むループアレイアンテナの構造を示す概略図である。
【発明を実施するための形態】
【００１１】
以下、本発明の実施形態の添付の図面を参照しながら、本発明の実施形態の技術的方案を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に属する。
【００１２】
本願の明細書、特許請求の範囲及び図面で使用される用語「第一」、「第二」、「第三」、「第四」などは、特定の順序を説明するために用いられなく、異なる対象を区別するために用いられる。用語「備える」、「含む」、「有する」及びそれらの変形は、非排他的包含を網羅することを意図する。例えば、一連のステップ又はユニットを含むプロセス、方法、システム、製品、又は装置は、リストされたステップ又はユニットに限定されず、選択的に、リストされていない他のステップ又はユニットを含むことができ、又は、選択的に、これらのプロセス、方法、製品、又はデバイスに固有する他のステップ又はユニットを含むことができる。
【００１３】
本明細書で言及される「実施例」又は「実施形態」という用語は、実施形態に関連して説明される特定の特徴、構造、又は特性が本願の少なくとも１つの実施形態に含まれ得ることを意味する。本明細書の各々の場所に現れるこの用語は、必ず同じ実施形態を指すものではなく、他の実施形態と相互に排他的な独立した又は代替実施形態を指すものでもない。本明細書に記載された実施形態は他の実施形態と組み合わせることができることは、当業者によって明示的及び暗黙的に理解される。
【００１４】
本発明の実施形態に係わる無線通信装置は、無線通信機能を有する端末装置、基地局又はサーバーを含むことができる。無線通信装置は、ハンドヘルドデバイス、車載デバイス、ウェアラブルデバイス（例えば、スマートブレスレット、スマートウォッチ、ウェアラブルグラス、ワイヤレスヘッドセットなどである）、ワイヤレス充電レシーバー、コンピューティングデバイス又はワイヤレスモデムに接続された他の処理デバイス、及び様々な形態のユーザ装置（Ｕｓｅｒ  Ｅｑｕｉｐｍｅｎｔ，ＵＥ）、モバイルステーション（Ｍｏｂｉｌｅ  Ｓｔａｔｉｏｎ，ＭＳ）、端末装置（ｔｅｒｍｉｎａｌ  ｄｅｖｉｃｅ）のうちの少なくとも１つを含むことができる。便利に説明するために、上記のデバイスを総称して電子装置と呼ぶ。
【００１５】
本発明の実施形態に係わるマルチウェイスイッチ及び電子装置をよりよく理解するために、以下、本発明の実施形態を詳細に説明する。
【００１６】
現在、携帯電話の４つのアンテナを切り替えてＳＲＳを送信する機能は、中国移動通信グループ（Ｃｈｉｎａ  Ｍｏｂｉｌｅ  Ｃｏｍｍｕｎｉｃａｔｉｏｎｓ  Ｇｒｏｕｐ  Ｃｏ．，Ｌｔｄ，ＣＭＣＣ）が「中国移動５Ｇ規模試験技術白書−端末」における必須オプションであり、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰ）ではオプションであり、その主な目的は、基地局が携帯電話の４つのアンテナのアップリンク信号を測定することにより、４つのチャネルの品質とパラメータを確認し、チャネルの相互関係に応じて４つのチャネルに対してダウンリンク大規模多入力多出力（Ｍｕｌｔｉｐｌｅ−Ｉｎｐｕｔ  Ｍｕｌｔｉｐｌｅ−Ｏｕｔｐｕｔ，ＭＩＭＯ）アンテナアレイのビームフォーミングを実行して、最後にダウンリンク４×４ＭＩＭＯが最適なデータ伝送性能を獲得するようにすることである。
【００１７】
４つのアンテナを切り替えてＳＲＳを送信する要件を満たすために、３Ｐ３Ｔ/ＤＰＤＴ/マルチウェイ小型スイッチスイッチングスキームと比較すると、本発明の実施形態によって提供された簡略化された４Ｐ８Ｔアンテナスイッチ（４つのＰポート及び８つのＴポート）に基づく無線周波数アーキテクチャは、各経路の直列スイッチの数を減らすことができ（全部又は一部のスイッチを４Ｐ８Ｔスイッチに統合する）、リンク損失を減らして、端末装置全体の送信及び受信性能を最適化する。
【００１８】
以下、当業者が容易に理解するように、本発明のいくつかの用語を説明する。
【００１９】
本発明の「Ｐポート」は、「極ポート（ｐｏｌｅ  ｐｏｒｔ）」の略語であり、マルチウェイスイッチにおけるアンテナに結合されたポートを指す。本発明の「Ｔポート」は、「スローポート（ｔｈｒｏｗ  ｐｏｒｔ）」の略語であり、マルチウェイスイッチにおける無線周波数モジュールに結合されたポートを指す。例えば、４Ｐ４Ｔスイッチとは、アンテナに結合された４つのＰポートと、無線周波数回路に結合された４つのＴポートと、を含むスイッチを指す。本明細書の「モジュール」は、回路及び関連するコンポーネントの任意の組み合わせを指すことができる。
【００２０】
本発明の実施形態で説明するマルチウェイスイッチのＴポートとＰポートの間の結合（ｃｏｕｐｌｉｎｇ）、全部結合（ｆｕｌｌｙ  ｃｏｕｐｌｅｄ）、又は他の種類の結合の概念は、Ｔポートが第一スイッチトランジスタによってＰポートに結合されることを指す。１つのＴポート又は１つのＰポートは、第二スイッチトランジスタの１つのポートであることができる。第一スイッチトランジスタは、ＴポートとＰポートとの間の単方向導通状態（ＴポートからＰポートへの単方向導通状態及びＰポートからＴポートへの単方向導通状態を含む）を制御するするために用いられる。第一スイッチトランジスタは、例えば、３つの金属酸化物半導体（ＭＯＳ）トランジスタからなるスイッチアレイであることができる。第一スイッチトランジスタが切断され且つ接地されていない場合、寄生パラメータは、導通されている他のポートの性能に影響を与える。従って、第一スイッチトランジスタは３つのＭＯＳトランジスタで構成され、３つのＭＯＳトランジスタは共通のソース（ｃｏｍｍｏｎ  ｓｏｕｒｃｅ）に接続され、つまり共通のソースに結合されることができる。第一スイッチトランジスタが切断されると、両側のＭＯＳトランジスタが切断され、中央の１つのＭＯＳトランジスタが接地される。第二スイッチトランジスタは、対応するポート（Ｔポート又はＰポート）を有効にするために用いられる。第二スイッチトランジスタは、例えば、ＭＯＳトランジスタであることができる。ここで、第一スイッチトランジスタ及び第二スイッチトランジスタの具体的な形態は限定されない。１つの実施形態において、電子装置は、第一スイッチトランジスタによって、ＴポートとＰポートとの間の経路の導通を制御することができる。１つの実施形態において、電子装置は、マルチウェイスイッチのスイッチトランジスタに結合される専用のコントローラを設置することができる。
【００２１】
「４つのＰポートに対応する４つのアンテナによってサウンディングリファレンス信号（ＳＲＳ）を順番に送信する」とは、電子装置はポーリングメカニズムに基づいて基地局と対話して各アンテナに対応するアップリンクチャネルの品質を確定する過程を示す。
【００２２】
以下、本発明の実施形態について詳細に説明する。
【００２３】
図１は、本発明の実施形態に係わるマルチウェイスイッチ１０の構造を示す概略図である。マルチウェイスイッチ１０は、８つのＴポート及び４つのＰポートを含む。８つのＴポートのうちの４つのＴポートは、すべての４つのＰポートに結合される（即ち、全部結合される（ｆｕｌｌｙ-ｃｏｕｐｌｅｄ））。残りの４つのＴポートにおける異なる周波数帯域に対応する２つのＴポートは、４つのＰポートのうちの１つのＰポートに結合され、残りの４つのＴポートにおける異なる周波数帯域に対応する別の２つのＴポートは、４つのＰポートのうちの別の１つのＰポートに結合される。マルチウェイスイッチ１０は、無線通信装置に適用可能である。無線通信装置は、図１に示された電子装置１００であることができる。電子装置１００は、デュアル周波数デュアル送信モード（ｄｕａｌ-ｆｒｅｑｕｅｎｃｙ  ｄｕａｌ-ｔｒａｎｓｍｉｔ  ｍｏｄｅ）で動作可能であり、且つアンテナシステム２０及び無線周波数回路３０を含む。アンテナシステム２０は４つのアンテナを含む。４つのアンテナは、４つのＰポートに対応する。具体的には、４つのアンテナと４つのＰポートは１対１で対応される。
【００２４】
マルチウェイスイッチ１０は、無線周波数回路３０及びアンテナシステム２０に結合されて、電子装置１００のプリセット機能を実現するために用いられる。プリセット機能は、４つのＰポートに対応する４つのアンテナによってＳＲＳを順番に送信する機能であり、４ポートＳＲＳ機能であると理解できる。
【００２５】
電子装置は、５Ｇ ＮＲをサポートする携帯電話又は他の端末装置であることができ、例えば、ＣＰＥ（Ｃｕｓｔｏｍｅｒ  Ｐｒｅｍｉｓｅ  Ｅｑｕｉｐｍｅｎｔ）又はＭＩＦＩ（Ｍｏｂｉｌｅ  Ｗｉｆｉ）である。
【００２６】
デュアル周波数デュアル送信モードとは、電子デバイス１００がせいぜいデュアル周波数帯域−２ＵＬ送信経路又はデュアル周波数帯域−４ＤＬ受信経路をサポートすることができる動作モードを指す。
【００２７】
マルチウェイスイッチ１０は、電界効果トランジスタ（ｆｉｅｌｄ-ｅｆｆｅｃｔｔｒａｎｓｉｓｔｏｒ，ＦＥＴ）を含む。８つのＴポートのうちの４つのＴポートは、４つのＰポートに全部結合され、８つのＴポートのうちの残りの４つのＴポートは、１つのアンテナのみに固定的に結合されて、受信するために用いられるので、４Ｐ８Ｔスイッチの内蔵電界効果トランジスタ（ＦＥＴ）の数量、体積及びコストを削減でき、性能を向上させる。以下、詳細に説明する。
【００２８】
例えば、電子装置がデュアル周波数デュアル送信モードで動作可能である場合、８つのＴポートにおいて、もし各Ｔポートがすべて４つのＰポートに全部結合されると、マルチウェイスイッチ１０の電界効果トランジスタの数量は８＋８＊４＊３＋４＝１０８であり、もし４つのＴポートが４つのＰポートに全部結合されると、図２に示されたマルチウェイスイッチ１０の構造を示す概略図のように、マルチウェイスイッチ１０の電界効果トランジスタの数量は８＋（４＊４＋（８−４）＊１）＊３＋４＝７２である。
【００２９】
４つのＰポートに全部結合されるＴポートの数量（即ち、全部結合されるＴポート）を制限することにより、電子装置の無線周波数システムのスイッチの数量を効果的に減少することができる。つまり、全部結合されるＴポートの数量は、無線周波数システムの性能に大きな影響を与える。
【００３０】
なお、電子装置１００は無線周波数トランシーバをさらに含む。無線周波数トランシーバは、無線周波数回路３０に結合され、且つ無線周波数回路３０、マルチウェイスイッチ１０及びアンテナシステム２０とともに電子装置１００の無線周波数システムを構成する。
【００３１】
本発明の実施形態によれば、電子装置１００に適用可能なマルチウェイスイッチ１０が提供される。電子装置１００は、デュアル周波数デュアル送信モードで動作可能であり、アンテナシステム２０、無線周波数回路３０及びマルチウェイスイッチ１０を含む。アンテナシステム２０は、４つのアンテナを含む。マルチウェイスイッチ１０は、８つのＴポートと４つのＰポートを含む。８つのＴポートのうちの４つのＴポートは、４つのＰポートに全部結合される。マルチウェイスイッチ１０は、無線周波数回路３０及びアンテナシステム２０に結合されて、電子装置１００のプリセット機能を実現するために用いられる。プリセット機能は、４つのＰポートに対応する４つのアンテナによってＳＲＳを順番に送信する機能である。
【００３２】
一実施例として、８つのＴポートは、４つの第一Ｔポート及び４つの第二Ｔポートを含む。４つの第一Ｔポートのそれぞれは４つのＰポートに全部結合される。４つの第二Ｔポートにおける異なる周波数帯域に対応する２つの第二Ｔポートは、４つのＰポートのうちの１つのＰポートに結合され、４つの第二Ｔポートにおける異なる周波数帯域に対応する別の２つの第二Ｔポートは、４つのＰポートのうちの別の１つのＰポートに結合される。４つのＰポートのそれぞれは、４つのアンテナの中の対応するアンテナに結合される。４つの第一Ｔポートは送受信機能をサポートし、４つの第二Ｔポートは受信機能のみをサポートする。
【００３３】
本実施形態において、マルチウェイスイッチ１０は第一Ｔポート及び第二Ｔポートを含み、且つ第二Ｔポートの数量は０ではないので、すべてのＴポートがＰポートに全部結合されている構成と比較して、本明細書で提供されるマルチウェイスイッチ１０は、スイッチの数量を減少する。即ち、電子装置１００の無線周波数システムの送信経路及び/又は受信経路のスイッチの数量を減少することができ、従って経路損失を減らすことにより、送信電力/感度を向上させ、５ＧＮＲのデータ伝送速度を改善し、携帯電話のアップリンク及びダウンリンクのカバレッジを改善し、消費電力とコストを削減する。
【００３４】
電子装置１００がデュアル周波数デュアル送信モードで動作可能である場合、電子装置１００は、論理的に、８つの受信回路（信号を受信及び/又は処理するために用いられる回路であると理解することができる）及び４つの送信回路（信号を送信及び/又は処理するために用いられる回路であると理解することができる）を含む。マルチウェイスイッチ１０は８つのＴポートを含み、８つのＴポートは４つの第一Ｔポートを含むので、マルチウェイスイッチの電界効果トランジスタの数量は８＋（４＊４＋（８−４）＊１）＊３＋４＝７２である。４つの送信回路のうちの１つの送信回路と８つの受信回路のうちの１つの受信回路はスイッチを介して１つのトランシーバ集積回路（信号を送信、受信及び/又は処理するために用いられる集積回路であると理解することができる）に統合され、４つの送信回路のうちの別の１つの送信回路と８つの受信回路のうちの別の１つの受信回路はスイッチを介して別の１つのトランシーバ集積回路に統合され、４つの送信回路のうちのさらに別の１つの送信回路と８つの受信回路のうちのさらに別の１つの受信回路はスイッチを介してさらに別の１つのトランシーバ集積回路に統合され、４つの送信回路のうちのもう１つの送信回路と８つの受信回路のうちのもう１つの受信回路はスイッチを介してもう１つのトランシーバ集積回路に統合される。つまり、合計４つのトランシーバ集積回路があり、せいぜい４つの独立回路モジュールに分布される。各トランシーバ集積回路は、このトランシーバ集積回路が属する独立回路モジュールの第一ポートに結合される。４つの送信回路と８つの受信回路のうちの４つの受信回路が４つのトランシーバ集積回路に統合されるので、残りの４つの受信回路は単独に設置される。残りの４つの受信回路は、１つの独立回路モジュールに分布されることができ、又はトランシーバ集積回路が属する独立回路モジュールに分布されることができる。４つの受信回路が属する独立回路モジュールはここでは限定されない。残りの４つの受信回路が１つの独立路モジュールに分布されている場合、残りの４つの受信回路は、独立回路モジュールの４つの第二ポートに（１対１で対応される）結合される。４つのトランシーバ集積回路及び残りの４つの受信回路が属する独立回路モジュールが限定されない場合、無線周波数回路３０の構造は、図３Ａ、４、５、６、７、８、９及び１０に示されたようである。
【００３５】
送信回路及び受信回路の特定の構成、マルチウェイスイッチ１０に関する定義は、前述の実施形態と同様であり、ここで再度説明しない。さらに、上記の無線周波数回路３０とマルチウェイスイッチ１０との整合方法は、図面の構造を含むがこれに限定されず、ここでは例示に過ぎないことを理解されるべきである。
【００３６】
本発明の実施形態に係わるマルチウェイスイッチ１０によって、電子装置１００はデュアル周波数デュアル送信モードで動作可能である。５ＧＮＲで４ポートＳＲＳスイッチングをサポートする電子装置のＲＦアーキテクチャを簡素化することに有利であり、送信経路と受信経路のスイッチの数を減らし、経路損失を減らすことにより、送信電力/感度を向上させ、５ＧＮＲのデータ伝送速度を改善し、携帯電話のアップリンク及びダウンリンクのカバレッジを改善し、消費電力を削減する。
【００３７】
一実施形態では、図３Ａに示された電子装置１００の構造を示す概略図のように、無線周波数回路３０は、物理的に２つの独立回路モジュールを含む。２つの独立回路モジュールは２つの第一独立回路モジュールを含み、第一独立回路モジュールは独立回路モジュールＡとして具現される。独立回路モジュールＡは、２つの第一ポート及び２つの第二ポートを含む。各第一ポートは４つの第一Ｔポートのうちの１つの第一Ｔポートに結合され、各第二ポートは４つの第二Ｔポートのうちの１つの第二Ｔポートに結合される。独立回路モジュールＡは、２つのトランシーバ集積回路と２つの受信回路を含む。２つのトランシーバ集積回路は、異なる周波数帯域で動作する。各トランシーバ集積回路は、１つの送信回路と１つの受信回路を含み、独立回路モジュールＡの１つの第一ポートに結合された送信−受信ポートを有する。各受信回路は、独立回路モジュールＡの１つの第二ポートに結合された受信ポートを有する。以下、詳細に説明する。
【００３８】
一実施形態では、図４に示された電子装置１００の構造を示す概略図のように、無線周波数回路３０は、物理的に３つの独立回路モジュールを含む。３つの独立回路モジュールは、２つの第一独立回路モジュール及び１つの第二独立回路モジュールを含む。本実施形態において、第一独立回路モジュールは独立回路モジュールＢとして具現され、第二独立回路モジュールは独立回路モジュールＣとして具現される。独立回路モジュールＢは、２つの第一ポートを含み、独立回路モジュールＣは４つの第二ポートを含む。各第一ポートは４つの第一Ｔポートのうちの１つの第一Ｔポートに結合され、各第二ポートは４つの第二Ｔポートのうちの１つの第二Ｔポートに結合される。独立回路モジュールＢは、２つのトランシーバ集積回路を含む。２つのトランシーバ集積回路は、異なる周波数帯域で動作する。各トランシーバ集積回路は、１つの送信回路と１つの受信回路を含み、独立回路モジュールＢの１つの第一ポートに結合された送信−受信ポートを有する。独立回路モジュールＣは、４つの受信回路を含む。各受信回路は、独立回路モジュールＣの１つの第二ポートに結合された受信ポートを有する。以下、詳細に説明する。
【００３９】
一実施形態では、図５に示された電子装置１００の構造を示す概略図のように、無線周波数回路３０は、物理的に３つの独立回路モジュールを含む。３つの独立回路モジュールは、２つの第一独立回路モジュール及び１つの第二独立回路モジュールを含む。本実施形態において、第一独立回路モジュールは独立回路モジュールＤとして具現され、第二独立回路モジュールは独立回路モジュールＥとして具現される。独立回路モジュールＤは２つの第一ポートと１つの第二ポートを含み、独立回路モジュールＥは２つの第二ポートを含む。各第一ポートは４つの第一Ｔポートのうちの１つの第一Ｔポートに結合され、各第二ポートは４つの第二Ｔポートのうちの１つの第二Ｔポートに結合される。独立回路モジュールＤは、２つのトランシーバ集積回路と１つの受信回路を含む。２つのトランシーバ集積回路は、異なる周波数帯域で動作する。各トランシーバ集積回路は、１つの送信回路と１つの受信回路を含み、独立回路モジュールＤの１つの第一ポートに結合された送信−受信ポートを有する。受信回路は、独立回路モジュールＤの第二ポートに結合された受信ポートを有する。独立回路モジュールＥは、２つの受信回路を含む。各受信回路は、独立回路モジュールＥの１つの第二ポートに結合された受信ポートを有する。以下、詳細に説明する。
【００４０】
一実施形態では、図６に示された電子装置１００の構造を示す概略図のように、無線周波数回路３０は、物理的に４つの独立回路モジュールを含む。４つの独立回路モジュールは４つの第一独立回路モジュールを含み、第一独立回路モジュールは独立回路モジュールＦとして具現される。独立回路モジュールＦは、１つの第一ポート及び１つの第二ポートを含む。各第一ポートは４つの第一Ｔポートのうちの１つの第一Ｔポートに結合され、各第二ポートは４つの第二Ｔポートのうちの１つの第二Ｔポートに結合される。独立回路モジュールＦは、１つのトランシーバ集積回路及び１つの受信回路を含む。トランシーバ集積回路は、１つの送信回路及び１つの受信回路を含み、独立回路モジュールＦの第一ポートに結合された送信−受信ポートを有する。受信回路モジュールは、独立回路モジュールＦの第二ポートに結合された受信ポートを有する。以下、詳細に説明する。
【００４１】
一実施形態では、図７に示された電子装置１００の構造を示す概略図のように、無線周波数回路３０は、物理的に４つの独立回路モジュールを含む。４つの独立回路モジュールは、２つの第一独立回路モジュール及び２つの第二独立回路モジュールを含む。本実施形態において、第一独立回路モジュールは独立回路モジュールＧとして具現され、第二独立回路モジュールは独立回路モジュールＨとして具現される。独立回路モジュールＧは、１つの第一ポート及び２つの第二ポートを含み、独立回路モジュールＨは、１つの第一ポートを含む。各第一ポートは４つの第一Ｔポートのうちの１つの第一Ｔポートに結合され、各第二ポートは４つの第二Ｔポートのうちの１つの第二Ｔポートに結合される。独立回路モジュールＧは、１つのトランシーバ集積回路及び２つの受信回路を含む。トランシーバ集積回路は、１つの送信回路と１つの受信回路を含み、独立回路モジュールＧの第一ポートに結合された送信−受信ポートを有する。各受信回路は、独立回路モジュールＧの１つの第二ポートに結合された受信ポートを有する。独立回路モジュールＨは、１つのトランシーバ集積回路を含む。トランシーバ集積回路は、１つの送信回路と１つの受信回路を含み、独立回路モジュールＨの第一ポートに結合された送信−受信ポートを有する。以下、詳細に説明する。
【００４２】
一実施形態では、図８に示された電子装置１００の構造を示す概略図のように、無線周波数回路３０は、物理的に５つの独立回路モジュールを含む。５つの独立回路モジュールは、１つの第一独立回路モジュールと４つの第二独立回路モジュールを含む。本実施形態において、第一独立回路モジュールは独立回路モジュールＣとして具現され、第二独立回路モジュールは独立回路モジュールＨとして具現される。独立回路モジュールＣは４つの第二ポートを含み、独立回路モジュールＨは１つの第一ポートを含む。各第一ポートは４つの第一Ｔポートのうちの１つの第一Ｔポートに結合され、各第二ポートは４つの第二Ｔポートのうちの１つの第二Ｔポートに結合される。独立回路モジュールＣは、４つの受信回路を含む。各受信回路は、独立回路モジュールＣの１つの第二ポートに結合された受信ポートを有する。独立回路モジュールＨは、１つのトランシーバ集積回路を含む。トランシーバ集積回路は、１つの送信回路と１つの受信回路を含み、独立回路モジュールＨの第一ポートに結合された送信−受信ポートを有する。以下、詳細に説明する。
【００４３】
一実施形態では、図９に示された電子装置１００の構造を示す概略図のように、無線周波数回路３０は、物理的に６つの独立回路モジュールを含む。６つの独立回路モジュールは、２つの第一独立回路モジュール及び４つの第二独立回路モジュールを含む。本実施形態において、第一独立回路モジュールは独立回路モジュールＥとして具現され、第二独立回路モジュールは独立回路モジュールＨとして具現される。独立回路モジュールＥは２つの第二ポートを含み、独立回路モジュールＨは１つの第一ポートを含む。各第一ポートは４つの第一Ｔポートのうちの１つの第一Ｔポートに結合され、各第二ポートは４つの第二Ｔポートのうちの１つの第二Ｔポートに結合される。独立回路モジュールＥは、２つの受信回路を含む。各受信回路は、独立回路モジュールＥの１つの第二ポートに結合された受信ポートを有する。独立回路モジュールＨは、１つのトランシーバ集積回路を含む。トランシーバ集積回路は、１つの送信回路と１つの受信回路を含み、独立回路モジュールＨの第一ポートに結合された送信−受信ポートを有する。以下、詳細に説明する。
【００４４】
一実施形態では、図１０に示された電子装置１００の構造を示す概略図のように、無線周波数回路３０は、物理的に８つの独立回路モジュールを含む。８つの独立回路モジュールは、４つの第一独立回路モジュール及び４つの第二独立回路モジュールを含む。本実施形態において、第一独立回路モジュールは独立回路モジュールＨとして具現され、第二独立回路モジュールは独立回路モジュールＩとして具現される。独立回路モジュールＨは１つの第一ポートを含み、独立回路モジュールＩは１つの第二ポートを含む。各第一ポートは４つの第一Ｔポートのうちの１つの第一Ｔポートに結合され、各第二ポートは４つの第二Ｔポートのうちの１つの第二Ｔポートに結合される。独立回路モジュールＨは、１つのトランシーバ集積回路を含む。トランシーバ集積回路は、１つの送信回路と１つの受信回路を含み、独立回路モジュールＨの第一ポートに結合された送信−受信ポートを有する。独立回路モジュールＩは、１つの受信回路を含む。受信回路は、独立回路モジュールＩの第二ポートに結合された受信ポートを有する。以下、詳細に説明する。
【００４５】
上述した実施形態において、４つの第一ポートと４つの第一Ｔポートの間の結合方式は１対１で対応され（１つの第一ポートは１つの第一Ｔポートに結合される）、４つの第二ポートと４つの第二Ｔポートの間の結合方式は１対１で対応される。換言すると、「各第一ポートは４つの第一Ｔポートのうちの１つの第一Ｔポートに結合される」とは、４つの第一ポートと４つの第一Ｔポートは１対１で対応して結合されることを意味する。 同様に、「各第二ポートは４つの第二Ｔポートのうちの１つの第二Ｔポートに結合される」とは、４つの第二ポートと４つの第二Ｔポートは１対１で対応して結合されることを意味する。
【００４６】
上述した実施形態において、各トランシーバ集積回路は、このトランシーバ集積回路が属する独立回路モジュールの１つの第一ポートに結合される。独立回路モジュールが２つのトランシーバ集積回路を含む場合、２つのトランシーバ集積回路は、上述した独立回路モジュールの２つの第一ポートと１対１の方式で対応して結合される。上述した実施形態における各受信回路は、この受信回路が属する独立回路モジュールの１つの第二ポートに結合される。独立回路モジュールが複数の受信回路を含む場合、複数の受信回路は、上述した独立回路モジュールの第二ポートと１対１の方式で対応して結合される。
【００４７】
さらに、低電力及び低消費電力であるので、受信回路の低雑音増幅器（ＬＮＡ）は同時に動作することができ、設計によって相互の影響を回避することができる。従って同じ周波数帯域の複数の受信回路の複数のＬＮＡは同じ回路モジュールに配置することができる。しかし、同じ周波数帯域の２つのパワーアンプ（ＰＡ）が同時に動作すると（ＵＬ  ＭＩＭＯモードに対応する）、送信電力が高くなり、２つの信号が互いに干渉する。さらに、２つのＰＡが同時に動作すると、放熱効率を影響する。本実施形態において、４つの送信回路を含むことを考慮すると、４つの送信回路のうちの同じ周波数帯域の２つの送信回路を同じ回路モジュールに配置することはできない。従って２つのＰＡが同じ回路モジュールに配置されている場合、２つのＰＡは異なる周波数帯域にある。即ち、同じ周波数帯域の２つのトランシーバ集積回路を同じ回路モジュールに配置することはできない。
【００４８】
上述のトランシーバ集積回路、受信回路及び送信回路は、様々な方法で実現できることを理解されるべきである。本発明の実施形態は特に限定されない。
【００４９】
上記の実施形態における各受信回路は、１つのＬＮＡ及び１つのフィルタを含む。フィルタは、この受信回路が属する独立回路モジュールの第二ポートに結合された受信ポート（受信回路の受信ポート）を有する。フィルタは、ＬＮＡの受信ポートに結合された出力ポートを有する。ＬＮＡは、無線周波数トランシーバの対応するポートに結合された出力ポートを有する。
【００５０】
上記の実施形態における各トランシーバ集積回路は、１つのＰＡ、１つのＬＮＡ、１つのスイッチ、１つのフィルタ及び１つの電力カプラーを含む。ＰＡは、無線周波数トランシーバの対応するポートに結合された受信ポートを有する。ＬＮＡは、無線周波数トランシーバの対応するポートに結合された出力ポートを有する。ＰＡは、スイッチの第一選択ポートに結合された出力ポートを有する。ＬＮＡは、スイッチの第二選択ポートに結合された受信ポートを有する。スイッチは、フィルタの１つのポートに結合された共通ポートを有する。フィルタは、電力カプラーの第一ポートに結合されたもう1つのポートを有する。電力カプラーは、このトランシーバ集積回路が属する独立回路モジュールの第一ポートに結合された第二ポート（トランシーバ集積回路の送信−受信ポート）を有する。
【００５１】
以下、無線周波数回路３０が物理的に２つの独立回路モジュールを含む場合を詳細に説明する。
【００５２】
図３Ａに示されたように、無線周波数回路３０は、物理的に２つの独立回路モジュールＡを含む。独立回路モジュールＡは、２つのトランシーバ集積回路と２つの受信回路を含む。各送信−受信回路は１つの送信回路と１つの受信回路を含む。独立回路モジュールＡの２つのトランシーバ集積回路は、第一トランシーバ集積回路及び第二トランシーバ集積回路を含む。独立回路モジュールＡの２つの受信回路は、第一受信回路及び第二受信回路を含む。第一トランシーバ集積回路は、１つのＬＮＡ、１つのＰＡ及び１つの電力カプラーを含む。ＬＮＡは「ＰＲＸ_ＮＹ」ピン（ＮＹ周波数帯域の第四受信ポート）に結合される。ＰＡは、「ＴＸ_ＣＨ０_ＮＹ」ピン（ＮＹ周波数帯域の第一送信経路の送信ポート）に結合される。電力カプラーは、独立回路モジュールＡの１つの第一ポートに結合される。第一ポートは、マルチウェイスイッチ１０の１つの第一Ｔポートに結合される。第二送信−受信回路は、１つのＬＮＡ、１つのＰＡ及び１つの電力カプラーを含む。ＬＮＡは「ＰＲＸ_ＮＸ」ピン（ＮＸ周波数帯域の第四受信ポート）に結合される。ＰＡは、「ＴＸ_ＣＨ０_ＮＸ」ピン（ＮＸ周波数帯域の第一送信経路の送信ポート）に結合される。電力カプラーは、独立回路モジュールＡの他の第一ポートに結合される。第一ポートは、マルチウェイスイッチ１０の別の１つの第一Ｔポートに結合される。第一受信回路は、１つのＬＮＡ及び１つのフィルタを含む。ＬＮＡは「ＲＸ１_ＮＹ」ピン（ＮＹ周波数帯域の第三受信ポート）に結合される。フィルタは、独立回路モジュールＡの１つの第二ポートに結合される。第二ポートは、マルチウェイスイッチ１０の１つの第二Ｔポートに結合される。第二受信回路は、１つのＬＮＡ及び１つのフィルタを含む。ＬＮＡは「ＲＸ１_ＮＸ」ピン（ＮＸ周波数帯域の第三受信ポート）に結合される。フィルタは、独立回路モジュールＡの他の第二ポートに結合される。第二ポートは、マルチウェイスイッチ１０の別の１つの第二Ｔポートに結合される。
【００５３】
以下、図３Ｂに示されたマルチウェイスイッチの注釈（Ａｎｎｏｔａｔｉｏｎ）について詳細に説明する。「ＮＲ  ＢＡＮＤ  ＮＹ  ＴＲＸ１」及び「ＮＲ  ＢＡＮＤ  ＮＹ  ＴＲＸ２」は、ＮＹ周波数帯域の２つのトランシーバ集積回路に対応するピンを表す。「ＮＲ  ＢＡＮＤ  ＮＸ  ＴＲＸ１」及び「ＮＲ  ＢＡＮＤ  ＮＸ  ＴＲＸ２」は、ＮＸ周波数帯域の２つのトランシーバ集積回路に対応するピンを表す。「ＮＲ  ＢＡＮＤ  ＮＹ  ＴＲＸ３」及び「ＮＲ  ＢＡＮＤ  ＮＹ  ＴＲＸ４」は、ＮＹ周波数帯域の２つの受信回路に対応するピンを表す。「ＮＲ  ＢＡＮＤ  ＮＸ  ＴＲＸ３」及び「ＮＲ  ＢＡＮＤ  ＮＸ  ＴＲＸ４」は、ＮＸ周波数帯域の２つの受信回路に対応するピンを表す。
【００５４】
図３Ａに示されたように、他の１つの独立回路モジュールＡの４つのＬＮＡは、別々に無線周波数トランシーバの「ＲＸ２_ＮＹ」ピン（ＮＹ周波数帯域の第二受信ポート）、「ＲＸ２_ＮＸ」ピン（ＮＸ周波数帯域の第二受信ポート）、「ＲＸ３_ＮＹ」ピン（ＮＹ周波数帯域の第一受信ポート）及び「ＲＸ３_ＮＸ」ピン（ＮＸ周波数帯域の第一受信ポート）に結合される。２つのＰＡは、別々に「ＴＸ_ＣＨ１_ＮＹ」ピン（ＮＹ周波数帯域の第二送信経路の送信ポート）と「ＴＸ_ＣＨ１_ＮＸ」ピン（ＮＸ周波数帯域の第二送信経路の送信ポート）に結合される。他の回路とマルチウェイスイッチ１０の結合方法は、第一独立回路モジュールの結合方法と類似であるので、ここでは繰り返さない。
【００５５】
図４、５、６、７、８、９、１０に示された無線周波数トランシーバ、無線周波数回路３０及びマルチウェイスイッチ１０の結合方式は、図３Ａ及び図３Ｂに示された無線周波数トランシーバ、無線周波数回路３０及びマルチウェイスイッチ１０の結合方式と類似であるので、ここでは繰り返さない。
【００５６】
１つの可能な実施形態において、４つのアンテナは、第一アンテナ、第二アンテナ、第三アンテナ及び第四アンテナを含む。これらの４つのアンテナは、すべて第五世代の新しいラジオ（５Ｇ ＮＲ）周波数帯域で使用することができる。
【００５７】
５Ｇ ＮＲ周波数帯域は、例えば、３．３ＧＨｚ〜３．８ＧＨｚ、４．４ＧＨｚ〜５ＧＨｚを含むことができる。
【００５８】
１つの可能な実施形態において、４つのアンテナは、第一アンテナ、第二アンテナ、第三アンテナ及び第四アンテナを含む。第一アンテナと第四アンテナは、長期進化（Ｌｏｎｇ Ｔｅｒｍ Ｅｖｏｌｕｔｉｏｎ，ＬＴＥ）周波数帯域と第五世代の新しいラジオ（５Ｇ ＮＲ）周波数帯域で作動可能なアンテナである。第二アンテナ及び第三アンテナは、５Ｇ ＮＲ周波数帯域のみで作動可能なアンテナである。
【００５９】
第一アンテナ及び第四アンテナは、端末上のＬＴＥの一部の周波数帯域でＤＬ ４×４ ＭＩＭＯをサポートすることを目的とする。この２つのアンテナは５Ｇ ＮＲと共有される（以下、「共有アンテナ」と呼ぶ）。ＬＴＥ周波数帯域は、例えば、１８８０ＭＨｚ〜１９２０ＭＨｚ、２４９６ＭＨｚ〜２６９０ＭＨｚを含むことができる。
【００６０】
１つの可能な実施形態において、図１１に示されたように、アンテナシステムは、第一コンバイナ及び第二コンバイナをさらに含む。第一コンバイナは、第一アンテナに結合するために用いられる第一ポートと、電子装置１００のＬＴＥ ４×４ ＭＩＭＯの第一受信経路に結合するために用いられる第二ポートと、マルチウェイスイッチ１０の対応するＰポートに結合するために用いられる第三ポートと、を含む。第二コンバイナは、第四アンテナに結合するために用いられる第一ポートと、電子装置１００のＬＴＥ ４×４ ＭＩＭＯの第二受信経路に結合するために用いられる第二ポートと、マルチウェイスイッチ１０の対応するＰポートに結合するために用いられる第三ポートと、を含む。
【００６１】
ＬＴＥ  ４×４  ＭＩＭＯはダウンリンクＬＴＥ受信回路であり、第三受信経路として定義することができる。ＬＴＥには、現在２つの受信経路があるので、ＬＴＥ  ４×４  ＭＩＭＯをサポートするために、第三受信経路と第四受信経路が追加される。
【００６２】
電子装置１００は、４つのアンテナの性能に応じて、回路のＰＲＸ（プライマリレシーバー（ｐｒｉｍａｒｙ  ｒｅｃｅｉｖｅｒ））に良い性能を有するアンテナを配置し、アンテナはスタンバイ状態になる。送信機能と受信機能の両方を備えるスイッチの第一ＴポートをＴＸとＰＲＸとして使用することができ、アンテナを任意に切り替えることができ、共有アンテナのポート間の結合を制限することを必要としない。
【００６３】
１つの可能な実施形態において、図１２に示されたように、アンテナシステム２０は、第一単極双投（ＳＰＤＴ）スイッチ及び第二ＳＰＤＴスイッチをさらに含む。第一ＳＰＤＴスイッチは、第一アンテナに結合するために用いられる第一ポートと、電子装置１００のＬＴＥ  ４×４  ＭＩＭＯの第一受信経路に結合するために用いられる第二ポートと、マルチウェイスイッチ１０の対応するＰポートに結合するために用いられる第三ポートと、を含む。第二ＳＰＤＴスイッチは、第四アンテナに結合するために用いられる第一ポートと、電子装置１００のＬＴＥ  ４×４  ＭＩＭＯの第二受信経路に結合するために用いられる第二ポートと、マルチウェイスイッチ１０の対応するＰポートに結合するために用いられる第三ポートと、を含む。
【００６４】
本発明の方案は、互いに組み合わせるか、又は置き換えることができる。例えば、上記のアンテナシステム及び/又はマルチウェイスイッチは、以下の無線周波数システム及び端末装置に使用するか又は組み合わせることができる。なお、本発明の「アンテナシステム及び/又はマルチウェイスイッチ」は、「アンテナシステム」、「マルチウェイスイッチ」、又は「アンテナシステム及びマルチウェイスイッチ」を意味する。
【００６５】
図１３は、本発明の実施形態に係わる無線周波数システムの構造を示す概略図である。無線周波数システムは、アンテナシステムと、無線周波数回路と、アンテナシステム及び無線周波数回路に結合されたマルチウェイスイッチと、を含む。マルチウェイスイッチは、８つのＴポート及び４つのＰポートを含む。８つのＴポートは４つの第一Ｔポートを含み、４つの第一Ｔポートのそれぞれは４つのＰポートに全部結合される。４つの第一Ｔポートは、送受信機能をサポートする。アンテナシステムは、４つのＰポートに対応する４つのアンテナを含む。マルチウェイスイッチは、４つのアンテナによってＳＲＳを順番に送信するプリセット機能を実現するように構成される。
【００６６】
１つの可能な実施形態において、８つのＴポートはさらに４つの第二Ｔポートを含む。４つの第二Ｔポートにおける異なる周波数帯域にある２つの第二Ｔポートは、４つのＰポートのうちの１つのＰポートに結合される。４つの第二Ｔポートにおける異なる周波数帯域にある別の２つの第二Ｔポートは、４つのＰポートのうちの別の１つのＰポートに結合される。４つのＰポートのそれぞれは、４つのアンテナの中の対応するアンテナに結合される。４つの第二Ｔポートは、受信機能のみをサポートする。
【００６７】
１つの可能な実施形態において、４つのアンテナは、第一アンテナ、第二アンテナ、第三アンテナ及び第四アンテナを含む。第一アンテナと第四アンテナは、ＬＴＥ周波数帯域と５Ｇ ＮＲ周波数帯域で作動可能なアンテナである。第二アンテナ及び第三アンテナは、５Ｇ ＮＲ周波数帯域のみで作動可能なアンテナである。
【００６８】
１つの可能な実施形態において、４つのアンテナに関する上述構造を使用し、アンテナシステムは、第一コンバイナ及び第二コンバイナをさらに含む。第一コンバイナは、第一アンテナに結合するために用いられる第一ポートと、電子装置のＬＴＥ ４×４ ＭＩＭＯの第一受信経路に結合するために用いられる第二ポートと、マルチウェイスイッチの対応するＰポートに結合するために用いられる第三ポートと、を含む。第二コンバイナは、第四アンテナに結合するために用いられる第一ポートと、電子装置のＬＴＥ ４×４ ＭＩＭＯの第二受信経路に結合するために用いられる第二ポートと、マルチウェイスイッチの対応するＰポートに結合するために用いられる第三ポートと、を含む。
【００６９】
１つの可能な実施形態において、４つのアンテナに関する上述構造において、アンテナシステム２０は、第一単極双投（ＳＰＤＴ）スイッチ及び第二ＳＰＤＴスイッチをさらに含む。第一ＳＰＤＴスイッチは、第一アンテナに結合するために用いられる第一ポートと、電子装置１００のＬＴＥ  ４×４  ＭＩＭＯの第一受信経路に結合するために用いられる第二ポートと、マルチウェイスイッチの対応するＰポートに結合するために用いられる第三ポートと、を含む。第二ＳＰＤＴスイッチは、第四アンテナに結合するために用いられる第一ポートと、電子装置１００のＬＴＥ  ４×４  ＭＩＭＯの第二受信経路に結合するために用いられる第二ポートと、マルチウェイスイッチの対応するＰポートに結合するために用いられる第三ポートと、を含む。
【００７０】
図１３に示された無線周波数システムに関連する定義は、前述の説明と類似であるので、ここでは繰り返さない。
【００７１】
電子装置の無線周波数システムの送信経路と受信経路に対して、送信経路は１つの独立スイッチ（４Ｐ８Ｔスイッチ）又は２つの独立スイッチ（ＳＰＤＴスイッチと４Ｐ８Ｔススイッチ）を含むことができ、受信経路は１つの独立スイッチ（４Ｐ８Ｔスイッチ）又は２つの独立スイッチ（ＳＰＤＴスイッチと４Ｐ８Ｔスイッチ）を含むことができる。即ち、無線周波数システムの送信経路と受信経路のスイッチ機能を４Ｐ８Ｔスイッチに統合することにより、送信経路と受信経路の独立スイッチの数量を効果的に減少することができる。
【００７２】
図１４は、本発明の実施形態に係わる無線通信装置の構造を示す概略図である。無線通信装置は、例えば、端末装置、基地局などであることができ、アンテナシステムと、無線周波数トランシーバと、無線周波数トランシーバに結合された無線周波数回路と、 上記のいずれか１つの実施形態に係わるマルチウェイスイッチと、を含む。
【００７３】
マルチウェイスイッチは、８つのＴポート及び４つのＰポートを含む。アンテナシステムは、４つのＰポートに対応する４つのアンテナを含む。８つのＴポートは、４つの第一Ｔポート及び４つの第二Ｔポートを含む。４つの第一Ｔポートのそれぞれは４つのＰポートに全部結合される。４つの第一Ｔポートは、送受信機能をサポートする。４つの第二Ｔポートにおける異なる周波数帯域にある２つの第二Ｔポートは、４つのＰポートのうちの１つのＰポートに結合される。４つの第二Ｔポートにおける異なる周波数帯域にある別の２つの第二Ｔポートは、４つのＰポートのうちの別の１つのＰポートに結合される。４つの第二Ｔポートは、受信機能のみをサポートする。４つのＰポートのそれぞれは、４つのアンテナの中の対応するアンテナに結合される。
【００７４】
マルチウェイスイッチは、無線周波数回路とアンテナシステムに結合され、４つのアンテナによってＳＲＳを順番に送信するプリセット機能をサポートする。
【００７５】
さらに、図１５に示されるように、本発明の実施形態で説明されるアンテナシステムの４つのアンテナは、電子装置の無線充電受信機（ｗｉｒｅｌｅｓｓ  ｃｈａｒｇｉｎｇ  ｒｅｃｅｉｖｅｒ）によって再利用することもできる。無線充電受信機は、受信アンテナ及び受信制御回路を含む。受信アンテナは、無線充電送信機（ｗｉｒｅｌｅｓｓ  ｃｈａｒｇｉｎｇ  ｔｒａｎｓｍｉｔｔｅｒ）の送信アンテナと一致する（周波数が同じ又は類似している場合に共振し、放射性共振磁気結合方式でエネルギーを無線伝送方式で伝送する）。受信制御回路は、ループアレイアンテナによってエネルギーを直流（ＤＣ）に変換してから出力して、バッテリーを充電する。受信制御回路は、ループアレイアンテナの周波数を動的に調整することにより、ループアレイアンテナの周波数を無線充電送信機の送信アンテナの周波数と一致させて、ペアリングされた充電を達成することができる。あるいは、受信制御回路は、リアルタイムで無線充電送信機と周波数変更範囲について対話して、「排他的な暗号化」無線充電モードを実現することができる。
【００７６】
受信アンテナは、４つのアンテナのうちの少なくとも１つのアンテナからなるアンテナであることができる（複数のアンテナの場合、複数のアンテナはスイッチによってストローブされる）。
【００７７】
例えば、図１６に示されたように、受信アンテナは、上述した４つのアンテナを含むループアレイアンテナである。４つのアンテナは、アンテナ１、アンテナ２、アンテナ３及びアンテナ４を含む。アンテナ１及びアンテナ４は、ＬＴＥ周波数帯域と５Ｇ ＮＲ周波数帯域の両方で動作可能であるが、アンテナ２及びアンテナ３は、５Ｇ ＮＲ周波数帯域のみで動作可能である。アンテナ１のポートとアンテナ４のポートは、ループアレイアンテナのポートとして使用される。隣接するアンテナの間は、絶縁機能を有するゲート回路１７０によって結合される。ゲート回路１７０は、スペーサー１７１及びスイッチ１７２を含み、スペーサー１７１は導体であり、スイッチ１７２はさらにコントローラに結合される。電子装置は、無線充電モードで各ゲート回路１７０のスイッチ１７２を導通させて、エネルギーを受信するループアレイアンテナを形成することができる。アンテナの間にスペーサー１７１を追加することにより、ゲート回路１７０は、通常の通信モードにおける電子装置の複数のアンテナの間の相互結合を低減し、複数のアンテナ間の分離を改善し、アンテナの性能を最適化する一方、スイッチ１７１によって複数のアンテナを直列に結合してループアレイアンテナを形成することにより、送信アンテナとの一致性を高めてエネルギーを伝送することができる。アンテナ１及びアンテナ４の能力はアンテナ２及びアンテナ３の能力よりも強いので、このように配置されたループアレイアンテナは、エネルギー伝送損失を極力低減することができる。
【図１】
2021505054.tif 000003
【図２】
2021505054.tif 000004
【図３Ａ】
2021505054.tif 000005
【図３Ｂ】
2021505054.tif 000006
【図４】
2021505054.tif 000007
【図５】
2021505054.tif 000008
【図６】
2021505054.tif 000009
【図７】
2021505054.tif 000010
【図８】
2021505054.tif 000011
【図９】
2021505054.tif 000012
【図１０】
2021505054.tif 000013
【図１１】
2021505054.tif 000014
【図１２】
2021505054.tif 000015
【図１３】
2021505054.tif 000016
【図１４】
2021505054.tif 000017
【図１５】
2021505054.tif 000018
【図１６】
2021505054.tif 000019
【手続補正書】
【提出日】令和2年5月28日(2020.5.28)
【手続補正１】
【補正対象書類名】明細書
【補正対象項目名】００３４
【補正方法】変更
【補正の内容】
【００３４】
電子装置１００がデュアル周波数デュアル送信モードで動作可能である場合、電子装置１００は、論理的に、８つの受信回路（信号を受信及び/又は処理するために用いられる回路であると理解することができる）及び４つの送信回路（信号を送信及び/又は処理するために用いられる回路であると理解することができる）を含む。マルチウェイスイッチ１０は８つのＴポートを含み、８つのＴポートは４つの第一Ｔポートを含むので、マルチウェイスイッチの電界効果トランジスタの数量は８＋（４＊４＋（８−４）＊１）＊３＋４＝７２である。４つの送信回路のうちの１つの送信回路と８つの受信回路のうちの１つの受信回路はスイッチを介して１つのトランシーバ集積回路（信号を送信、受信及び/又は処理するために用いられる集積回路であると理解することができる）に統合され、４つの送信回路のうちの別の１つの送信回路と８つの受信回路のうちの別の１つの受信回路はスイッチを介して別の１つのトランシーバ集積回路に統合され、４つの送信回路のうちのさらに別の１つの送信回路と８つの受信回路のうちのさらに別の１つの受信回路はスイッチを介してさらに別の１つのトランシーバ集積回路に統合され、４つの送信回路のうちのもう１つの送信回路と８つの受信回路のうちのもう１つの受信回路はスイッチを介してもう１つのトランシーバ集積回路に統合される。つまり、合計４つのトランシーバ集積回路があり、せいぜい４つの独立回路モジュールに分布される。各トランシーバ集積回路は、このトランシーバ集積回路が属する独立回路モジュールの第一ポートに結合される。４つの送信回路と８つの受信回路のうちの４つの受信回路が４つのトランシーバ集積回路に統合されるので、残りの４つの受信回路は単独に設置される。残りの４つの受信回路は、１つの独立回路モジュールに分布されることができ、又はトランシーバ集積回路が属する独立回路モジュールに分布されることができる。残りの４つの受信回路が属する独立回路モジュールはここでは限定されない。残りの４つの受信回路が１つの独立路モジュールに分布されている場合、残りの４つの受信回路は、独立回路モジュールの４つの第二ポートに（１対１で対応される）結合される。４つのトランシーバ集積回路及び残りの４つの受信回路が属する独立回路モジュールが限定されない場合、無線周波数回路３０の構造は、図３Ａ、４、５、６、７、８、９及び１０に示されたようである。
【手続補正２】
【補正対象書類名】明細書
【補正対象項目名】００５２
【補正方法】変更
【補正の内容】
【００５２】
図３Ａに示されたように、無線周波数回路３０は、物理的に２つの独立回路モジュールＡを含む。独立回路モジュールＡは、２つのトランシーバ集積回路と２つの受信回路を含む。各トランシーバ集積回路は１つの送信回路と１つの受信回路を含む。独立回路モジュールＡの２つのトランシーバ集積回路は、第一トランシーバ集積回路及び第二トランシーバ集積回路を含む。独立回路モジュールＡの２つの受信回路は、第一受信回路及び第二受信回路を含む。第一トランシーバ集積回路は、１つのＬＮＡ、１つのＰＡ及び１つの電力カプラーを含む。ＬＮＡは「ＰＲＸ_ＮＹ」ピン（ＮＹ周波数帯域の第四受信ポート）に結合される。ＰＡは、「ＴＸ_ＣＨ０_ＮＹ」ピン（ＮＹ周波数帯域の第一送信経路の送信ポート）に結合される。電力カプラーは、独立回路モジュールＡの１つの第一ポートに結合される。第一ポートは、マルチウェイスイッチ１０の１つの第一Ｔポートに結合される。第二トランシーバ集積回路は、１つのＬＮＡ、１つのＰＡ及び１つの電力カプラーを含む。ＬＮＡは「ＰＲＸ_ＮＸ」ピン（ＮＸ周波数帯域の第四受信ポート）に結合される。ＰＡは、「ＴＸ_ＣＨ０_ＮＸ」ピン（ＮＸ周波数帯域の第一送信経路の送信ポート）に結合される。電力カプラーは、独立回路モジュールＡの他の第一ポートに結合される。第一ポートは、マルチウェイスイッチ１０の別の１つの第一Ｔポートに結合される。第一受信回路は、１つのＬＮＡ及び１つのフィルタを含む。ＬＮＡは「ＲＸ１_ＮＹ」ピン（ＮＹ周波数帯域の第三受信ポート）に結合される。フィルタは、独立回路モジュールＡの１つの第二ポートに結合される。第二ポートは、マルチウェイスイッチ１０の１つの第二Ｔポートに結合される。第二受信回路は、１つのＬＮＡ及び１つのフィルタを含む。ＬＮＡは「ＲＸ１_ＮＸ」ピン（ＮＸ周波数帯域の第三受信ポート）に結合される。フィルタは、独立回路モジュールＡの他の第二ポートに結合される。第二ポートは、マルチウェイスイッチ１０の別の１つの第二Ｔポートに結合される。
【手続補正３】
【補正対象書類名】特許請求の範囲
【補正対象項目名】全文
【補正方法】変更
【補正の内容】
【特許請求の範囲】
【請求項１】
マルチウェイスイッチ１０であって、
８つのＴポート及び４つのＰポートを含み、前記８つのＴポートは４つの第一Ｔポートを含み、前記４つの第一Ｔポートのそれぞれは前記４つのＰポートに全部結合され、前記４つの第一Ｔポートは送受信機能をサポートし、
前記マルチウェイスイッチは、デュアル周波数デュアル送信モードで動作可能な電子装置の無線周波数回路３０及びアンテナシステム２０に結合されて、前記電子装置のプリセット機能を実現するために用いられ、前記アンテナシステムは、前記４つのＰポートに対応する４つのアンテナを含み、前記プリセット機能は、前記４つのアンテナによってＳＲＳを順番に送信する機能である、
ことを特徴とするマルチウェイスイッチ。
【請求項２】
前記８つのＴポートはさらに４つの第二Ｔポートを含み、
前記４つの第二Ｔポートにおける異なる周波数帯域にある２つの第二Ｔポートは、前記４つのＰポートのうちの１つのＰポートに結合され、
前記４つの第二Ｔポートにおける異なる周波数帯域にある別の２つの第二Ｔポートは、前記４つのＰポートのうちの別の１つのＰポートに結合され、
前記４つのＰポートのそれぞれは、前記４つのアンテナの中の対応するアンテナに結合され、
前記４つの第二Ｔポートは、受信機能のみをサポートする、
ことを特徴とする請求項１に記載のマルチウェイスイッチ。
【請求項３】
前記無線周波数回路は、物理的に２つの独立回路モジュールを含み、
前記２つの独立回路モジュールは２つの第一独立回路モジュールを含み、
前記第一独立回路モジュールは、２つの第一ポート及び２つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項４】
前記第一独立回路モジュールは、２つのトランシーバ集積回路と２つの受信回路を含み、
前記２つのトランシーバ集積回路は、異なる周波数帯域で動作し、
各トランシーバ集積回路は、１つの送信回路と１つの受信回路を含み、
各トランシーバ集積回路は、前記第一独立回路モジュールの２つの第一ポートのうちの１つの第一ポートに結合された送信−受信ポートを有し、
各受信回路は、前記第一独立回路モジュールの２つの第二ポートのうちの１つの第二ポートに結合された受信ポートを有する、
ことを特徴とする請求項３に記載のマルチウェイスイッチ。
【請求項５】
前記無線周波数回路は、物理的に３つの独立回路モジュールを含み、
前記３つの独立回路モジュールは、２つの第一独立回路モジュール及び１つの第二独立回路モジュールを含み、
前記第一独立回路モジュールは、２つの第一ポートを含み、
前記第二独立回路モジュールは、４つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項６】
前記第一独立回路モジュールは、２つのトランシーバ集積回路を含み、
前記２つのトランシーバ集積回路は、異なる周波数帯域で動作し、
各トランシーバ集積回路は、１つの送信回路と１つの受信回路を含み、
各トランシーバ集積回路は、前記第一独立回路モジュールの２つの第一ポートのうちの１つの第一ポートに結合された送信−受信ポートを有し、
前記第二独立回路モジュールは、４つの受信回路を含み、
各受信回路は、前記第二独立回路モジュールの４つの第二ポートのうちの１つの第二ポートに結合された受信ポートを有する、
ことを特徴とする請求項５に記載のマルチウェイスイッチ。
【請求項７】
前記無線周波数回路は、物理的に３つの独立回路モジュールを含み、
前記３つの独立回路モジュールは、２つの第一独立回路モジュール及び１つの第二独立回路モジュールを含み、
前記第一独立回路モジュールは２つの第一ポートと１つの第二ポートを含み、
前記第二独立回路モジュールは２つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項８】
前記第一独立回路モジュールは、２つのトランシーバ集積回路と１つの受信回路を含み、
前記２つのトランシーバ集積回路は、異なる周波数帯域で動作し、
各トランシーバ集積回路は、１つの送信回路と１つの受信回路を含み、
各トランシーバ集積回路は、前記第一独立回路モジュールの２つの第一ポートのうちの１つの第一ポートに結合された送信−受信ポートを有し、
前記受信回路は、前記第一独立回路モジュールの第二ポートに結合された受信ポートを有し、
前記第二独立回路モジュールは、２つの受信回路を含み、
各受信回路は、前記第二独立回路モジュールの２つの第二ポートのうちの１つの第二ポートに結合された受信ポートを有する、
ことを特徴とする請求項７に記載のマルチウェイスイッチ。
【請求項９】
前記無線周波数回路は、物理的に４つの独立回路モジュールを含み、
前記４つの独立回路モジュールは４つの第一独立回路モジュールを含み、
前記第一独立回路モジュールＦは、１つの第一ポート及び１つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１０】
前記無線周波数回路は、物理的に４つの独立回路モジュールを含み、
４つの独立回路モジュールは、２つの第一独立回路モジュール及び２つの第二独立回路モジュールを含み、
前記第一独立回路モジュールは、１つの第一ポート及び２つの第二ポートを含み、
前記第二独立回路モジュールは、１つの第一ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１１】
前記無線周波数回路は、物理的に５つの独立回路モジュールを含み、
前記５つの独立回路モジュールは、１つの第一独立回路モジュールと４つの第二独立回路モジュールを含み、
前記第一独立回路モジュールは、４つの第二ポートを含み、
前記第二独立回路モジュールは、１つの第一ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１２】
前記無線周波数回路は、物理的に６つの独立回路モジュールを含み、
前記６つの独立回路モジュールは、２つの第一独立回路モジュール及び４つの第二独立回路モジュールを含み、
前記第一独立回路モジュールは、２つの第二ポートを含み、
前記第二独立回路モジュールは、１つの第一ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１３】
前記無線周波数回路は、物理的に８つの独立回路モジュールを含み、
前記８つの独立回路モジュールは、４つの第一独立回路モジュール及び４つの第二独立回路モジュールを含み、
前記第一独立回路モジュールは、１つの第一ポートを含み、
前記第二独立回路モジュールは、１つの第二ポートを含み、
各第一ポートは前記４つの第一Ｔポートのうちの１つの第一Ｔポートに結合され、
各第二ポートは前記４つの第二Ｔポートのうちの１つの第二Ｔポートに結合される、
ことを特徴とする請求項２に記載のマルチウェイスイッチ。
【請求項１４】
無線周波数システムであって、
アンテナシステムと、無線周波数回路と、請求項１〜１３のいずれか一項に記載のマルチウェイスイッチと、を含む、
ことを特徴とする無線周波数システム。
【請求項１５】
無線通信装置であって、
アンテナシステムと、無線周波数送信機と、前記無線周波数送信機に結合された無線周波数回路と、請求項１〜１３のいずれか一項に記載のマルチウェイスイッチと、を含む、
ことを特徴とする無線通信装置。
【国際調査報告】
2021505054.tif 000020
2021505054.tif 000021
2021505054.tif 000022